(57)【要約】 【課題】  携帯電子機器を横置きおよび縦置きのいずれかの希望する方で充電することができ、しかも縦置きのときは横置きのときよりも設置面積を小さくすることができる携帯電子機器の充電装置を提供する。【解決手段】  保持体２２は、携帯電話機２３をその長手方向一端部寄りで保持する第１保持部４０と、前記携帯電話機２３をその長手方向他端部寄りで保持する第２保持部６０とを備え、第１保持部４０と第２保持部６０とは、ヒンジ部２８によって連結される。このような保持体２２は、横置き状態と縦置き状態とを有し、横置き状態および縦置き状態のいずれか一方から、横置き状態および縦置き状態のいずれか他方に、状態を変化させる。横置き状態の保持体２２は、携帯電話機２３を倒伏させて、第１保持部４０と第２保持部６０とによって保持する。縦置き状態の保持体２２は、携帯電話機２３を起立させて、第１保持部４０によって保持する。【選択図】      図１
2007213933.tif 000002
【特許請求の範囲】
【請求項１】
携帯電子機器をその長手方向一端部寄りで保持する第１保持部と、前記携帯電子機器をその長手方向他端部寄りで保持する第２保持部とを備え、略水平な設置面によって支持される保持体と、
第１保持部と第２保持部とを連結する連結手段と、
保持体によって保持される携帯電子機器に電力を供給するための接続部とを含み、
前記保持体は、携帯電子機器を、前記設置面に対して倒伏させて、第１保持部と第２保持部とによって保持する横置き状態と、横置き状態に比べて第２保持部の第１保持部から最も離れた部分が第１保持部に近接して配置され、携帯電子機器を、その長手方向他端部が長手方向一端部よりも上方になるように前記設置面に対して起立させて、第１保持部によって保持する縦置き状態とを有し、横置き状態および縦置き状態のいずれか一方から、横置き状態および縦置き状態のいずれか他方に、状態を変化させることを特徴とする携帯電子機器の充電装置。
【請求項２】
前記接続部は、第１保持部に設けられ、保持体が横置き状態の場合と保持体が縦置き状態の場合とで共通に用いられることを特徴とする請求項１記載の携帯電子機器の充電装置。
【請求項３】
前記連結手段は、第１保持部と第２保持部とを互いに変位可能に連結することを特徴とする請求項１または２記載の携帯電子機器の充電装置。
【請求項４】
前記連結手段は、第１保持部と第２保持部とを互いに着脱可能に連結することを特徴とする請求項１または２記載の携帯電子機器の充電装置。
【請求項５】
ＡＣ電力をＤＣ電力に変換するＡＣアダプタに電気的に接続されることを特徴とする請求項１〜４のいずれか１つに記載の携帯電子機器の充電装置。
【請求項６】
請求項１〜５のいずれか１つに記載の携帯電子機器の充電装置によって充電されることを特徴とする携帯電子機器。
【請求項７】
請求項１〜５のいずれか１つに記載の携帯電子機器の充電装置と、
この携帯電子機器の充電装置によって充電される携帯電子機器とを含むことを特徴とする充電システム。
【発明の詳細な説明】
【技術分野】
【０００１】
本発明は、携帯電子機器を充電するために用いられる充電装置に関する。
【背景技術】
【０００２】
携帯電子機器である携帯電話機は、外部機器端子を有する。携帯電話機には、外部機器端子を介して外部から電力が供給され、これによって携帯電話機が充電される。外部から携帯電話機への電力の供給方式は、２通りある。１つは、携帯電話機をＡＣアダプタに直接、接続して電力を供給する方式であり、もう１つは、携帯電話機を充電装置に装着して電力を供給する方式である。
【０００３】
図１９は、携帯電話機１をＡＣアダプタ２に直接、接続して電力を供給する方式を説明するための図である。図２０は、携帯電話機１の外部機器端子３を示す図である。この方式では、充電装置が必要なく、したがって旅先などで携帯電話機１の充電が必要となる場合でも、充電装置によって荷物がかさばるということがない。
【０００４】
携帯電話機１の外部機器端子３は、充電端子４と接続端子５とを含む。接続端子５には、接続コネクタ６が電気的に接続される。接続コネクタ６は、ケーブル７を介してＡＣアダプタ２に電気的に接続される。ＡＣアダプタ２には、電源プラグ８が設けられる。電源プラグ８は、ＡＣ１００Ｖのコンセント９に差し込まれる。
【０００５】
電源プラグ８がＡＣ１００Ｖのコンセント９に差し込まれることによって、商用電源からのＡＣ電力がＡＣアダプタ２に与えられる。ＡＣアダプタ２は、商用電源からのＡＣ電力をＤＣ電力に変換する。ＡＣアダプタ２からのＤＣ電力は、ケーブル７および接続コネクタ６を介して、携帯電話機１の接続端子５に与えられる。このようにして携帯電話機１が充電される。
【０００６】
図２１は、携帯電話機１を充電装置１１に装着して電力を供給する方式を説明するための図である。図２２は、充電装置１１の接続端子１２を示す図である。図２３は、携帯電話機１を充電装置１１に載置した状態を示す斜視図である。充電装置１１は、保持体１３と充電端子１４と接続端子１２とを含む。保持体１３は、略水平な設置面によって支持され、携帯電話機１を前記設置面に対して倒伏させて保持する。保持体１３には、前記充電端子１４が設けられ、また前記接続端子１２が設けられる。
【０００７】
保持体１３によって携帯電話機１が保持されるとき、携帯電話機１の充電端子４には、充電装置１１の充電端子１４が電気的に接続される。充電装置１１の充電端子１４は、充電装置１１の接続端子１２に電気的に接続される。充電装置１１の接続端子１２には、接続コネクタ６が電気的に接続される。接続コネクタ６は、ケーブル７を介してＡＣアダプタ２に電気的に接続される。ＡＣアダプタ２からのＤＣ電力は、ケーブル７、接続コネクタ６、充電装置１１の接続端子１２、および充電装置１１の充電端子１４を介して、携帯電話機１の充電端子４に与えられる。このようにして携帯電話機１が充電される。
【０００８】
携帯電子機器の充電装置としては、図２１〜図２３に示す充電装置１１のようにＡＣアダプタが外付けになっているものが主流である。このような充電装置は、ケーブルを介してＡＣアダプタに電気的に接続されて、テーブルなどに設置されて、用いられる。
【０００９】
携帯電子機器の充電装置は、多種にわたるが、充電装置に対する携帯電子機器の載置状態は、大別すると、横置きと縦置きとに分けられる。横置きでは、携帯電子機器は、略水平な設置面に対して倒伏している。縦置きでは、携帯電子機器は、略水平な設置面に対して起立している。
【００１０】
携帯電子機器を横置きで充電する場合、携帯電子機器を充電装置に対して着脱するにあたって、手で把持することができる領域が少なく、したがって携帯電子機器の充電装置に対する着脱操作が煩雑であり、携帯電子機器を容易に着脱することができない。また携帯電子機器が前記設置面に対して倒伏しているので、充電装置の設置面積が大きく、したがって狭い場所に充電装置を設置すると、その場所がいっそう乱雑になる。
【００１１】
携帯電子機器を縦置きで充電する場合、携帯電子機器が前記設置面に対して起立しているので、不用意に手などの身体の一部が携帯電子機器に接触したり、ペットなどが携帯電子機器に接触したりして、携帯電子機器を転倒させやすい。
【００１２】
横置き専用および縦置き専用の充電装置では、携帯電子機器を、横置きおよび縦置きのいずれかの希望する方で充電することができず、使い勝手が悪いという問題がある。横置き専用の充電装置と縦置き専用の充電装置との両者が携帯電子機器に同梱されて売られることも可能であるが、コストアップになるばかりか、一方が選ばれた後、残った他方は不要となる。
【００１３】
特許文献１に開示される従来技術では、充電装置は、この充電装置をテーブル上に設置する場合、携帯電話機を立てた姿勢でしか、充電を行うことができない。換言すれば、この従来技術では、携帯電話機を縦置きで充電することはできるけれども、携帯電話機を横置きで充電することはできない。したがって使い勝手が悪いという問題がある。
【００１４】
特許文献２に開示される従来技術では、充電台は、携帯電話機の載置部の姿勢を変化させる姿勢可変機構を備え、姿勢可変機構は、載置部が携帯電話機を水平状態に保持する第１の姿勢と、載置部が携帯電話機を傾斜状態に保持する第２の姿勢とをとることができるように構成される。携帯電話機を傾斜状態に保持することによって、携帯電話機の背面表示部の視認性を向上させることができる。この従来技術は、あくまで携帯電話機を横置きで充電する充電台の応用であり、この従来技術の充電台では、携帯電話機を縦置きで充電することができず、したがって使い勝手が悪いという問題がある。
【００１５】
特許文献３に開示される従来技術では、コードレス電話機において、携帯電子機器である子機を充電装置である親機に置いて充電する。親機は、子機を横にした状態で載せる第１の子機載置部と、第１の子機載置部内の所定位置に配置した、子機を立てた状態で載せる第２の子機載置部とを備える。この従来技術では、子機を、横置きおよび縦置きのいずれか希望する方で充電することができるけれども、縦置きにしても親機の設置面積が小さくならないという問題がある。
【００１６】
【特許文献１】特開２０００−２７７１７１号公報
【特許文献２】特開２００３−３１９０４８号公報
【特許文献３】特開２００３−１６３７２０号公報
【発明の開示】
【発明が解決しようとする課題】
【００１７】
本発明の目的は、携帯電子機器を横置きおよび縦置きのいずれかの希望する方で充電することができ、しかも縦置きのときは横置きのときよりも設置面積を小さくすることができる携帯電子機器の充電装置を提供することである。
【課題を解決するための手段】
【００１８】
本発明は、携帯電子機器をその長手方向一端部寄りで保持する第１保持部と、前記携帯電子機器をその長手方向他端部寄りで保持する第２保持部とを備え、略水平な設置面によって支持される保持体と、
第１保持部と第２保持部とを連結する連結手段と、
保持体によって保持される携帯電子機器に電力を供給するための接続部とを含み、
前記保持体は、携帯電子機器を、前記設置面に対して倒伏させて、第１保持部と第２保持部とによって保持する横置き状態と、横置き状態に比べて第２保持部の第１保持部から最も離れた部分が第１保持部に近接して配置され、携帯電子機器を、その長手方向他端部が長手方向一端部よりも上方になるように前記設置面に対して起立させて、第１保持部によって保持する縦置き状態とを有し、横置き状態および縦置き状態のいずれか一方から、横置き状態および縦置き状態のいずれか他方に、状態を変化させることを特徴とする携帯電子機器の充電装置である。
【００１９】
また本発明は、前記接続部は、第１保持部に設けられ、保持体が横置き状態の場合と保持体が縦置き状態の場合とで共通に用いられることを特徴とする。
【００２０】
また本発明は、前記連結手段は、第１保持部と第２保持部とを互いに変位可能に連結することを特徴とする。
【００２１】
また本発明は、前記連結手段は、第１保持部と第２保持部とを互いに着脱可能に連結することを特徴とする。
【００２２】
また本発明は、ＡＣ電力をＤＣ電力に変換するＡＣアダプタに電気的に接続されることを特徴とする。
【００２３】
また本発明は、前記携帯電子機器の充電装置によって充電されることを特徴とする携帯電子機器である。
【００２４】
また本発明は、前記携帯電子機器の充電装置と、
この携帯電子機器の充電装置によって充電される携帯電子機器とを含むことを特徴とする充電システムである。
【発明の効果】
【００２５】
本発明によれば、保持体は、略水平な設置面によって支持される。保持体は、携帯電子機器を保持する。保持体によって保持される携帯電子機器には、接続部を介して電力が供給され、これによって携帯電子機器が充電される。
【００２６】
保持体は、携帯電子機器をその長手方向一端部寄りで保持する第１保持部と、前記携帯電子機器をその長手方向他端部寄りで保持する第２保持部とを備える。第１保持部と第２保持部とは、連結手段によって連結される。
【００２７】
このような保持体は、横置き状態と縦置き状態とを有する。横置き状態の保持体は、携帯電子機器を、前記設置面に対して倒伏させて、第１保持部と第２保持部とによって保持する。縦置き状態の保持体は、携帯電子機器を、その長手方向他端部が長手方向一端部よりも上方になるように前記設置面に対して起立させて、第１保持部によって保持する。
【００２８】
保持体は、横置き状態および縦置き状態のいずれか一方から、横置き状態および縦置き状態のいずれか他方に、状態を変化させる。このように保持体が状態を変化させるので、携帯電子機器を、横置きおよび縦置きのいずれかの希望する方で充電することができ、使い勝手を向上することができる。
【００２９】
しかも縦置き状態では、保持体は、横置き状態に比べて第２保持部の第１保持部から最も離れた部分が第１保持部に近接して配置される。したがって縦置きのときは、横置きときよりも、充電装置の設置面積を小さくすることができる。
【００３０】
また本発明によれば、接続部は、第１保持部に設けられ、保持体が横置き状態の場合と保持体が縦置き状態の場合とで共通に用いられる。したがって充電装置の構成を簡素化することができる。
【００３１】
また本発明によれば、連結手段によって、第１保持部と第２保持部とが互いに変位可能に連結される。したがって第１保持部と第２保持部とを互いに変位させることによって、保持体の状態を容易に変化させることができる。
【００３２】
また本発明によれば、連結手段によって、第１保持部と第２保持部とが互いに着脱可能に連結される。したがって簡単な構成で、横置き状態と縦置き状態とを実現することができる。
【００３３】
また本発明によれば、充電装置には、ＡＣ電力をＤＣ電力に変換するＡＣアダプタが電気的に接続される。したがって充電装置の内部にＡＣアダプタが設けられる必要がなく、これによって充電装置を小形化することができる。このように充電装置が小形化されることによって、充電装置の設置面積を小さくすることができる。
【００３４】
また本発明によれば、携帯電子機器は、前述のような充電装置によって充電されるので、この携帯電子機器の充電に対して、利便性を向上することができる。
【００３５】
また本発明によれば、前述のような充電装置によって携帯電子機器が充電される。このような充電システムでは、携帯電子機器の充電に対して、利便性を向上することができる。
【発明を実施するための最良の形態】
【００３６】
図１は、本発明の実施の第１形態である充電装置２１を示す断面図であり、図１（１）は保持体２２が横置き状態になっている充電装置２１を示し、図１（２）は保持体２２が縦置き状態になっている充電装置２１を示す。図２は、図１（１）の矢符Ｃ方向から見た図である。本実施の形態の充電装置２１は、携帯電子機器である携帯電話機２３を充電するために用いられる。
【００３７】
携帯電話機２３は、二次電池２４と、二次電池２４からの電力によって駆動する携帯電話機本体２５とを含む。本実施の形態では、携帯電話機２３を充電するとは、携帯電話機２３の二次電池２４を充電することをいう。
【００３８】
充電装置２１は、保持体２２と、接続部である充電端子２６と、接続端子２７と、連結手段であるヒンジ部２８とを含む。
【００３９】
保持体２２は、携帯電話機２３を保持する。保持体２２によって保持される携帯電話機２３は、充電端子２６に電気的に接続される。充電端子２６は、接続端子２７に電気的に接続される。接続端子２７には、接続コネクタ３１が差し込まれ、これによって接続端子２７には、接続コネクタ３１が電気的に接続される。接続コネクタ３１は、ケーブル３２を介してＡＣアダプタ３３に電気的に接続される。ＡＣアダプタ３３は、商用電源からのＡＣ電力をＤＣ電力に変換する。ＡＣアダプタ３３からのＤＣ電力は、ケーブル３２、接続コネクタ３１、接続端子２７および充電端子２６を介して、携帯電話機２３に供給され、これによって携帯電話機２３が充電される。
【００４０】
保持体２２は、携帯電話機２３をその長手方向一端部寄りで保持する第１保持部４０と、前記携帯電話機２３をその長手方向他端部寄りで保持する第２保持部６０とを備える。第１および第２保持部４０，６０は、合成樹脂から成り、たとえば、アクリロニトリルとブタジエンとスチレンとの共重合体であるＡＢＳ樹脂から成る。
【００４１】
第１保持部４０は、基部４１と、第１側壁部４２と、一対の第２側壁部４３，４４（図４および図５参照）と、突出部４５とを含む。基部４１は、矩形板状に形成される。ここでは、説明の便宜上、基部４１の厚み方向一表面４１ａから他表面４１ｂに向かう方向を、基部４１の厚み方向一方という。第１側壁部４２は、基部４１の長手方向一側部４６から、基部４１の厚み方向一方へ突出する。一対の第２側壁部４３，４４のうち、一方４３は、基部４１の幅方向一側部４８から、基部４１の厚み方向一方へ突出し、他方４４は、基部４１の幅方向他側部４９から、基部４１の厚み方向一方へ突出する。突出部４５は、第１側壁部４２の基部４１に連なる側とは反対側の部分５０から、基部４１の長手方向他側部４７から一側部４６に向かう方向へ突出する。
【００４２】
このような第１保持部４０では、基部４１と第１側壁部４２と各第２側壁部４３，４４とによって、携帯電話機２３の長手方向一端部およびその近傍部分が嵌り込む第１空間５１が形成される。第１側壁部４２の基部４１に連なる側とは反対側の部分５０の、前記第１空間５１に臨む部分５２には、前記充電端子２６が設けられる。第１側壁部４２の基部４１に連なる側の部分５３の、前記第１空間５１とは反対側に臨む部分５４には、前記接続端子２７が設けられる。第１側壁部４２の基部４１に連なる側の部分５３の、前記第１空間５１に臨む部分５５には、基部４１に近づくにつれて基部４１の長手方向一側部４６から他側部４７に向かう方向へ傾斜する傾斜面５６が形成される。
【００４３】
第２保持部６０は、基部６１と、第１側壁部６２と、一対の第２側壁部６３，６４（図４および図５参照）とを含む。基部６１は、矩形板状に形成される。ここでは、説明の便宜上、基部６１の厚み方向一表面６１ａから他表面６１ｂに向かう方向を、基部６１の厚み方向一方という。第１側壁部６２は、基部６１の長手方向一側部６６から、基部６１の厚み方向一方へ突出する。一対の第２側壁部６３，６４のうち、一方６３は、基部６１の幅方向一側部６８から、基部６１の厚み方向一方へ突出し、他方６４は、基部６１の幅方向他側部６９から、基部６１の厚み方向一方へ突出する。
【００４４】
このような第２保持部６０では、基部６１と第１側壁部６２と各第２側壁部６３，６４とによって、携帯電話機２３の長手方向他端部およびその近傍部分が嵌り込む第２空間７１が形成される。第１側壁部６２の基部６１に連なる側とは反対側の部分７０の、前記第２空間７１に臨む部分７２には、突起部７７が設けられる。第１側壁部６２の基部６１に連なる側の部分７３の、前記第２空間７１に臨む部分７５には、基部６１に近づくにつれて基部６１の長手方向一側部６６から他側部６７に向かう方向へ傾斜する傾斜面７６が形成される。
【００４５】
図３は、ヒンジ部２８を示す断面図である。ヒンジ部２８は、第１保持部４０の基部４１の長手方向他側部４７と第２保持部６０の基部６１の長手方向他側部６７との間に介在し、肉薄に形成される。ヒンジ部２８は、第１および第２保持部４０，６０と同一の材質から成り、第１および第２保持部４０，６０と一体的に形成される。第１保持部４０と第２保持部６０とは、ヒンジ部２８によって、互いに変位可能に、具体的には互いに回動可能に連結される。
【００４６】
本実施の形態では、第２保持部６０の基部６１の長手方向一側部６６が、第１保持部４０の基部４１に対して、第１保持部４０の基部４１の厚み方向一表面４１ａ側から近づくように、第２保持部６０を第１保持部４０に対して回動するときの回動方向を、第１回動方向Ａ１といい、その反対方向を、第２回動方向Ａ２という。
【００４７】
図４は、係合手段８１を示す斜視図である。図５は、係合突起８２と係合片８３とが係合した状態を示す斜視図である。図６は、係合突起８２と係合片８３との係合が解除された状態を示す斜視図である。係合手段８１は、係合突起８２と係合片８３とを含む。
【００４８】
係合突起８２は、第１保持部４０の基部４１の厚み方向他表面４１ｂに設けられる。係合突起８２は、第１保持部４０の基部４１の厚み方向他表面４１ｂから、その基部４１の厚み方向一方へ突出する。
【００４９】
係合片８３は、第２保持部６０の基部６１の厚み方向他表面６１ｂに設けられる。係合片８３は、第２保持部６０の基部６１の厚み方向他表面６１ｂから、その基部６１の厚み方向一方へ突出する第１部分８５と、第１部分８５の基部６１に連なる側とは反対側の部分８６から、基部６１の長手方向一側部６６から他側部６７に向かう方向へ延びる第２部分８７と、第２部分８７の第１部分８５に連なる側とは反対側の部分８８から、基部６１の厚み方向一方とは反対方向へ突出する第３部分８９とを含む。
【００５０】
第１保持部４０の基部４１と第２保持部６０の基部６１とが同一の仮想一平面に沿って並んだ状態では、係合片８３の第２部分８７は、係合突起８２に関して第１保持部４０の基部４１とは反対側から、係合突起８２に当接する。また係合片８３の第３部分８９は、係合突起８２に関して係合片８３の第１部分８５とは反対側から、係合突起８２に当接する。このようにして、係合突起８２と係合片８３とが係合する。
【００５１】
係合突起８２と係合片８３との係合を解除するにあたっては、使用者は、まず、係合片８３の第３部分８９を、係合突起８２よりも第１保持部４０の基部４１の厚み方向一方へ変位させ、この後、第２保持部６０を第１保持部４０に対して第１回動方向Ａ１へ回動する。このようにして、係合突起８２と係合片８３との係合を容易に解除することができる。
【００５２】
図１を再び参照して、本実施の形態では、携帯電話機２３は、折り畳み型、いわゆるクラムシェル型である。この携帯電話機２３の携帯電話機本体２５は、送話器を収容する第１筐体９１と、受話器を収容する第２筐体９２と、ヒンジ部９３とを含む。第１筐体９１には、前記二次電池２４が収容される。第１筐体９１の長手方向一端部には、充電端子９４が設けられる。第１筐体９１には、キー操作部が設けられ、第２筐体９２には、表示部が設けられる。ヒンジ部９３は、第１筐体９１の長手方向他端部と第２筐体９２の長手方向一端部とを回動可能に連結する。
【００５３】
保持体２２は、略水平な設置面９６によって支持される。略水平は、水平を含む。保持体２２は、図１（１）に示すような横置き状態と、図１（２）に示すような縦置き状態とを有する。保持体２２は、第１保持部４０と第２保持部６０とを互いに回動することによって、横置き状態および縦置き状態のいずれか一方から、横置き状態および縦置き状態のいずれか他方に、状態を変化させる。
【００５４】
横置き状態では、保持体２２は、第１保持部４０の基部４１と第２保持部６０の基部６１とが、同一の仮想一平面に沿って並ぶ。保持体２２は、第１保持部４０の基部４１と第２保持部６０の基部６１とが、前記設置面９６によって支持される。このとき、保持体２２は、第１保持部４０の基部４１の厚み方向一表面４１ａと第２保持部６０の基部６１の厚み方向一表面６１ａとが、前記設置面９６に対向する。このような横置き状態では、保持体２２は、携帯電話機２３を、前記設置面９６に対して倒伏させて、第１保持部４０と第２保持部６０とによって保持することができる。
【００５５】
横置き状態では、係合突起８２と係合片８３とが係合し、第１保持部４０の各第２側壁部４３，４４と第２保持部６０の各第２側壁部６３，６４とが図４に示すように当接する。係合突起８２と係合片８３とが係合することによって、第１保持部４０に対する第２保持部６０の第１回動方向Ａ１への変位が阻止され、第１保持部４０の各第２側壁部と第２保持部６０の各第２側壁部とが当接することによって、第１保持部４０に対する第２保持部６０の第２回動方向Ａ２への変位が阻止される。このようにして、第１保持部４０に対する第２保持部６０の回動が阻止され、これによって保持体２２を横置き状態に維持することができる。
【００５６】
横置き状態の保持体２２によって携帯電話機２３を保持するとき、充電装置２１の充電端子２６と携帯電話機２３の充電端子９４とが接触し、この状態で、携帯電話機２３が、充電装置２１の充電端子２６と充電装置２１の突起部７７とによって挟持され、これによって携帯電話機２３の充電端子９４が充電装置２１の充電端子２６に押し付けられる。したがって充電装置２１の充電端子２６と携帯電話機２３の充電端子９４とを確実に、電気的に接続し、これによって携帯電話機２３を確実に充電することができる。
【００５７】
また携帯電話機２３の長手方向一端部およびその近傍部分が、第１保持部４０の第１空間５１に嵌り込み、携帯電話機２３の長手方向他端部およびその近傍部分が、第２保持部６０の第２空間７１に嵌り込む。携帯電話機２３は、第１保持部４０の傾斜面５６と第２保持部６０の傾斜面７６とによって下方から支持される。携帯電話機２３は、第１保持部４０の第１側壁部４２と第２保持部６０の第１側壁部６２との間に嵌り込み、第１保持部４０の各第２側壁部４３，４４の間に嵌り込み、第２保持部６０の各第２側壁部６３，６４の間に嵌り込むので、携帯電話機２３が保持体２２から転落することを防ぐことができる。
【００５８】
さらに携帯電話機２３は、前記設置面９６に対して倒伏しているので、不用意に手などの身体の一部が携帯電話機２３に接触したり、ペットなどの携帯電話機２３に接触したりすることが防がれる。したがって携帯電話機２３を転倒させてしまうことが防がれる。
【００５９】
縦置き状態では、保持体２２は、第１保持部４０の基部４１の厚み方向一表面４１ｂと第２保持部６０の基部６１の厚み方向一表面６１ｂとが、互いに対向する。保持体２２は、第１保持部４０の突出部４５の先端部４５ａと、第２保持部６０の第１側壁部６２の先端部６２ａとが、前記設置面９６によって支持される。このような縦置き状態では、保持体２２は、携帯電話機２３を、その長手方向他端部が長手方向一端部よりも上方になるように前記設置面９６に対して起立させて、第１保持部４０によって保持することができる。
【００６０】
縦置き状態では、第１保持部４０の基部４１と第２保持部６０の基部６１とが当接するすることによって、第１保持部４０に対する第２保持部６０の第１回動方向Ａ１への変位が阻止される。また第１保持部４０の突出部４５の先端部４５ａと前記設置面９６との間の摩擦力と、第２保持部６０の第１側壁部６２の先端部６２ａと前記設置面９６との間の摩擦力とによって、第１保持部４０に対する第２保持部６０の第２回動方向Ａ２への変位が阻止される。このようにして、第１保持部４０に対する第２保持部６０の回動が阻止され、これによって保持体２２を縦置き状態に維持することができる。
【００６１】
たとえば、保持体２２がガラス机などに設置される場合、前記各摩擦力が小さい。このような場合でも、第１保持部４０に対する第２保持部６０の第２回動方向Ａ２への変位を確実に阻止して、保持体２２を縦置き状態に維持するために、第１保持部４０の基部４１と第２保持部６０の基部６０との間には、両面テープまたはメカニカルファスナを介在させてもよい。
【００６２】
縦置き状態の保持体２２によって携帯電話機２３を保持するとき、携帯電話機２３は、係合突起８２によって支持される。これによって携帯電話機２３の充電端子９４は、横置き状態の保持体２２によって携帯電話機２３を保持するときとほぼ同じ位置で、充電装置２１の充電端子２６に接触することができる。また充電装置２１の充電端子２６と携帯電話機２３の充電端子９４とが接触し、この状態で、携帯電話機２３の自重によって、携帯電話機２３の充電端子９４が充電装置２１の充電端子２６に押し付けられる。したがって充電装置２１の充電端子２６と携帯電話機２３の充電端子９４とを確実に、電気的に接続し、これによって携帯電話機２３を確実に充電することができる。
【００６３】
また携帯電話機２３の長手方向一端部およびその近傍部分が、第１保持部４０の第１空間５１に嵌り込む。携帯電話機２３は、充電装置２１の充電端子２６と、係合突起８２とによって支持される。携帯電話機２３は、第１保持部４０の各第２側壁部４３，４４の間に嵌り込むので、携帯電話機２３が保持体２２から転落することを防ぐことができる。
【００６４】
さらに携帯電話機２３の長手方向他端部およびその近傍部分が露出しているので、携帯電話機２３を充電装置２１に対して着脱するにあたって、手で把持することができる領域が多く、したがって携帯電話機２３を充電装置２１に対して容易に着脱することができる。さらに縦置き状態では、保持体２２は、横置き状態に比べて第２保持部６０の第１保持部４０から最も離れた部分が第１保持部４０に近接して配置される。したがって保持体２２が縦置き状態の場合は、保持体２２が横置き状態の場合に比べて、充電装置２１の設置面積を小さくすることができる。充電装置２１の設置面積は、前記設置面９６の、充電装置２１によって占有される領域の面積をいう。
【００６５】
本実施の形態によれば、保持体２２は、横置き状態および縦置き状態のいずれか一方から、横置き状態および縦置き状態のいずれか他方に、状態を変化させる。このように保持体２２が状態を変化させるので、携帯電話機２３を、横置きおよび縦置きのいずれかの希望する方で充電することができ、使い勝手を向上することができる。
【００６６】
しかも縦置き状態では、保持体２２は、横置き状態に比べて第２保持部６０の第１保持部４０から最も離れた部分が第１保持部４０に近接して配置される。したがって縦置きのときは、横置きときよりも、充電装置２１の設置面積を小さくすることができる。
【００６７】
たとえば、使用者がペットなどを飼っている場合、あるいは充電装置の設置場所に余裕がある場合は、使用者は、保持体２２を横置き状態にして、携帯電話機２３を充電することができる。また充電装置の設置場所が狭い場合、あるいは複数の携帯電話機２３を同じ場所で充電する場合は、使用者は、保持体２２を縦置き状態にして、携帯電話機２３を充電することができる。このように使用者は、使用環境、好みに応じて、携帯電話機２３を、横置きおよび縦置きのいずれかの希望する方で充電することができる。
【００６８】
このように携帯電話機２３を、横置きおよび縦置きのいずれかの希望する方で充電することができるので、横置き専用の充電装置と縦置き専用の充電装置とを別途に用意する必要がなく、携帯電話機２３を製造する製造者にとっても、携帯電話機２３を購入して使用する使用者にとっても、不要なコストを低減することができる。
【００６９】
さらに充電装置２１の充電端子２６は、第１保持部４０に設けられ、保持体２２が横置き状態の場合と保持体２２が縦置き状態の場合とで共通に用いられる。したがって充電装置２１の構成を簡素化することができる。
【００７０】
さらにヒンジ部２８によって第１保持部４０と第２保持部６０とが互いに回動可能に連結される。したがって第１保持部４０と第２保持部６０とを互いに回動することによって、保持体２２の状態を容易に変化させることができる。
【００７１】
さらに充電装置２１には、ＡＣ電力をＤＣ電力に変換するＡＣアダプタ３３が電気的に接続される。したがって充電装置２１の内部にＡＣアダプタが設けられる必要がなく、これによって充電装置２１を小形化することができる。このように充電装置２１が小形化されることによって、充電装置２１の設置面積を小さくすることができる。
【００７２】
さらに携帯電話機２３を、横置きおよび縦置きのいずれかの希望する方で充電することができるようにしても、前述のように保持体２２の構造が簡単であるので、充電装置２１を製造するための金型費および材料費の増加を抑えることができる。
【００７３】
さらに携帯電話機２３は、前述のような充電装置２１によって充電されるので、この携帯電話機２３の充電に対して、利便性を向上することができる。
【００７４】
さらに前述のような充電装置２１とこの充電装置２１によって充電される携帯電話機２３とを含んで構成される充電システム１００では、携帯電話機２３の充電に対して、利便性を向上することができる。
【００７５】
図７は、本発明の実施の第２形態である充電装置が含むヒンジ部１１２を示す斜視図である。図８は、ヒンジ部１１２の分解斜視図である。本実施の形態の充電装置は、前述の第１形態の充電装置２１に類似するので、対応する部分には同一の符号を付して、説明を省略する。
【００７６】
本実施の形態では、ヒンジ部１１２は、一対の第１筒部１１３，１１４と、第２筒部１１５と、金属棒１１６とを含む。各第１筒部１１３，１１４は、第１保持部４０の基部４１の長手方向他側部４７に、第１保持部４０の基部４１の幅方向に間隔をあけて設けられる。各第１筒部１１３，１１４の軸線は、第１保持部４０の基部４１の幅方向に平行である。各第１筒部１１３，１１４は、同軸である。第２筒部１１５は、第２保持部６０の基部６１の長手方向他側部６７に設けられる。第２筒部１１５の軸線は、第２保持部６０の基部６１の幅方向に平行である。第２筒部１１５は、各第１筒部１１３，１１４の間に、各第１筒部１１３，１１４と同軸に配置される。金属棒１１６は、各第１筒部１１３，１１４および第２筒部１１５に挿通される。
【００７７】
本実施の形態によれば、前述の第１形態と同様の効果を達成することができる。また前述のようなヒンジ部１１２が用いられるので、保持体２２の屈曲耐性を向上させることができる。換言すれば、保持体２２の状態を繰り返して変化させることによるヒンジ部１１２の破損を防ぐことができる。
【００７８】
図９は、本発明の実施の第３形態である充電装置１２１を示す図であり、図９（１）は保持体２２が横置き状態になっている充電装置１２１を示し、図９（２）は保持体２２が縦置き状態になっている充電装置１２１を示す。本実施の形態の充電装置１２１は、前述の第１形態の充電装置２１に類似するので、対応する部分には同一の符号を付して、説明を省略する。本実施の形態では、ヒンジ部２８に代えて、スライド手段１２２が、連結手段として設けられる。
【００７９】
図１０は、スライド手段１２２を示す斜視図である。図１１は、嵌合突起１２３と嵌合凹部１２４とを示す図である。スライド手段１２２は、第１および第２案内溝形成部１２５，１２６と、第１および第２嵌合部１２７，１２８とを含む。
【００８０】
第１案内溝形成部１２５は、第１保持部４０の各第２側壁部４３，４４の一方４３の一部を構成する。第１案内溝形成部１２５には、第１保持部４０の基部４１の長手方向に延びる第１案内溝１２９が形成される。第１案内溝１２９は、第１空間５１とは反対側に開放される。第２案内溝形成部１２６は、第１保持部４０の各第２側壁部４３，４４の他方４４の一部を構成する。第２案内溝形成部１２６には、第１保持部４０の基部４１の長手方向に延びる第２案内溝１３０が形成される。第２案内溝１３０は、第１空間５１とは反対側に開放される。
【００８１】
第１嵌合部１２７は、第２保持部６０の各第２側壁部６３，６４の一方６３の、第２空間７１に臨む部分に設けられる。第１嵌合部１２７は、第２保持部６０の基部６１の長手方向に延びる。第１嵌合部１２７は、第１案内溝１２９に嵌り込む。第２嵌合部１２８は、第２保持部６０の各第２側壁部６３，６４の他方６４の、第２空間７１に臨む部分に設けられる。第２嵌合部１２８は、第２保持部６０の基部６１の長手方向に延びる。第２嵌合部１２８は、第２案内溝１３０に嵌り込む。
【００８２】
第１嵌合部１２７は、第１案内溝１２９に沿って、したがって第１保持部４０の基部４１の長手方向に沿って、スライド変位可能である。第２嵌合部１２８は、第２案内溝１３０に沿って、したがって第１保持部４０の基部４１の長手方向に沿って、スライド変位可能である。このようなスライド手段１２２によって、第１保持部４０と第２保持部６０とが、互いに変位可能、具体的には互いにスライド変位可能に連結される。
【００８３】
第１および第２案内溝形成部１２５，１２６には、嵌合凹部１２４がそれぞれ設けられる。第１および第２嵌合部１２７，１２８には、嵌合突起１２３がそれぞれ設けられる。各嵌合突起１２３が各嵌合凹部１２４に嵌り込むことによって、第２保持部６０の第１保持部４０に対するスライド変位が阻止される。
【００８４】
図１２は、充電装置１２１の背面図である。図１３は、充電装置１２１をその背面側から見た斜視図である。第２保持部６０の基部６１の厚み方向一表面６１ａには、支持部材１３１の長手方向一端部１３１ａが、回動可動に連結される。支持部材１３１は、第２保持部６０の基部６１の厚み方向一表面６１ａに対して平行な平行状態と、第２保持部６０の基部６１の厚み方向一表面６１ａに対して傾斜する傾斜状態とにわたって回動可能である。平行状態では、支持部材１３１の長手方向は、第２保持部６０の基部６１の長手方向に平行である。傾斜状態では、支持部材１３１は、その長手方向一端部１３１ａから他端部１３１ｂに向かうにつれて、第２保持部６０の基部６１の厚み方向一表面６１ａから離れる。
【００８５】
図９を再び参照して、保持体２２は、図９（１）に示すような横置き状態と、図９（２）に示すような縦置き状態とを有する。保持体２２は、第１保持部４０と第２保持部６０とを互いにスライド変位させることによって、横置き状態および縦置き状態のいずれか一方から、横置き状態および縦置き状態のいずれか他方に、状態を変化させる。
【００８６】
横置き状態では、保持体２２は、伸長している。支持部材１３１は、平行状態である。保持体２２は、第１保持部４０の基部４１と第２保持部６０の基部６１とが、前記設置面９６によって支持される。このとき、保持体２２は、第１保持部４０の基部４１の厚み方向一表面４１ａと第２保持部６０の基部６１の厚み方向一表面６１ａとが、前記設置面９６に対向する。このような横置き状態では、保持体２２は、携帯電話機２３を、前記設置面９６に対して倒伏させて、第１保持部４０と第２保持部６０とによって保持することができる。
【００８７】
横置き状態では、各嵌合突起１２３が各嵌合凹部１２４に嵌り込む。このように各嵌合突起１２３が各嵌合凹部１２４に嵌り込むことによって、第２保持部６０の第１保持部４０に対するスライド変位が阻止され、これによって保持体２２を横置き状態に維持することができる。
【００８８】
縦置き状態では、保持体２２は、縮退している。支持部材１３１は、傾斜状態である。保持体２２は、第１保持部４０の突出部４５の先端部４５ａと、支持部材１３１の長手方向他端部１３１ｂとが、前記設置面９６によって支持される。このような縦置き状態では、保持体２２は、携帯電話機２３を、その長手方向他端部が長手方向一端部よりも上方になるように前記設置面９６に対して起立させて、第１保持部４０によって保持することができる。
【００８９】
本実施の形態によれば、前述の第１形態と同様の効果を達成することができる。またスライド手段１２２によって第１保持部４０と第２保持部６０とが互いに回動可能に連結されるので、第１保持部４０と第２保持部６０とを互いにスライド変位させることによって、保持体２２の状態を容易に変化させることができる。
【００９０】
図１４は、本発明の実施の第４形態である充電装置１４１を示す断面図であり、図１４（１）は保持体２２が横置き状態になっている充電装置１４１を示し、図１４（２）は保持体２２が縦置き状態になっている充電装置１４１を示す。本実施の形態の充電装置１４１は、前述の第１形態の充電装置２１に類似するので、対応する部分には同一の符号を付して、説明を省略する。
【００９１】
図１５は、保持体２２の一部を示す斜視図である。図１６は、保持体２２が横置き状態になっている充電装置１４１の連結手段１４２を示す図である。図１７は、保持体２２が縦置き状態になっている充電装置１４１の連結手段１４２を示す図である。本実施の形態では、第１貫通孔形成部１４３と、第２貫通孔形成部１４４と、ねじ部材１４５とを含んで、連結手段１４２が構成される。
【００９２】
第１貫通孔形成部１４３は、第１保持部４０の基部４１の長手方向他側部４７の一部を構成する。第１貫通孔形成部１４３には、第１保持部４０の基部４１の厚み方向に貫通する第１貫通孔１４６が形成される。第１貫通孔形成部１４３の第１貫通孔１４６に臨む面には、内ねじが形成される。第２貫通孔形成部１４４は、第２保持部６０の基部６１の長手方向他側部６７から、第２保持部６０の基部６１の長手方向一側部６６から他側部６７に向かう方向へ突出する。第２貫通孔形成部１４４には、第２保持部６０の基部６１の厚み方向に貫通する第２貫通孔１４７が形成される。ねじ部材１４５には、外ねじが形成される。ねじ部材１４５の外ねじと第１貫通孔形成部１４３の内ねじとは螺合する。ねじ部材１４５は、第２貫通孔１４７を緩やかに挿通する。このような連結手段１４２によって、第１保持部４０と第２保持部６０とが互いに着脱可能に連結される。
【００９３】
図１４を再び参照して、保持体２２は、図１４（１）に示すような横置き状態と、図１４（２）に示すような縦置き状態とを有する。保持体２２は、横置き状態および縦置き状態のいずれか一方から、横置き状態および縦置き状態のいずれか他方に、状態を変化させる。
【００９４】
横置き状態では、保持体２２は、第１保持部４０の基部４１と第２保持部６０の基部６１とが、同一の仮想一平面に沿って並ぶ。第１貫通孔形成部１４３と第２貫通孔形成部１４４とはねじ部材１４５によって固定され、これによって第１保持部４０と第２保持部６０とが固定される。保持体２２は、第１保持部４０の基部４１と第２保持部６０の基部６１とが、前記設置面９６によって支持される。このとき、保持体２２は、第１保持部４０の基部４１の厚み方向一表面４１ａと第２保持部６０の基部６１の厚み方向一表面６１ａとが、前記設置面９６に対向する。このような横置き状態では、保持体２２は、携帯電話機２３を、前記設置面９６に対して倒伏させて、第１保持部４０と第２保持部６０とによって保持することができる。
【００９５】
縦置き状態では、保持体２２は、第１保持部４０の基部４１の厚み方向一表面４１ｂと第２保持部６０の基部６１の厚み方向一表面６１ｂとが、互いに対向する。第１貫通孔形成部１４３と第２貫通孔形成部１４４とはねじ部材１４５によって固定され、これによって第１保持部４０と第２保持部６０とが固定される。保持体２２は、第１保持部４０の突出部４５の先端部４５ａと、第２保持部６０の第１側壁部６２の先端部６２ａとが、前記設置面９６によって支持される。このような縦置き状態では、保持体２２は、携帯電話機２３を、その長手方向他端部が長手方向一端部よりも上方になるように前記設置面９６に対して起立させて、第１保持部４０によって保持することができる。
【００９６】
本実施の形態によれば、前述の第１形態と同様の効果を達成することができる。第１保持部４０と第２保持部６０とが互いに着脱可能に連結される。したがって簡単な構成で、横置き状態と縦置き状態とを実現することができる。さらに第１保持部４０と第２保持部６０とがねじ部材１４５によって固定されるので、保持体２２の状態が不所望に変化してしまうことが防がれる。
【００９７】
前述の実施の各形態は、本発明の例示に過ぎず、本発明の範囲内において構成を変更することができる。図１８は、展開状態の携帯電話機２３と横置き状態の保持体２２とを示す斜視図である。前述の第１形態では、図１８のように、横置き状態の保持体２２によって展開状態の携帯電話機２３を保持してもよい。前述の第２〜第４形態についても同様である。
【００９８】
携帯電話機は、折り畳み型に限らず、ストレート型であってもよい。携帯電子機器は、携帯電話機に限らず、コードレス電話機の子機であってもよい。また携帯電子機器は、ポータブルＣＤ（Compact Disk）プレーヤおよびポータブルＭＤ（Mini Disk）プレーヤなどの携帯型の情報再生装置であってもよく、さらには音楽ダウンロード端末装置であってもよい。
【図面の簡単な説明】
【００９９】
【図１】本発明の実施の第１形態である充電装置２１を示す断面図である。
【図２】図１（１）の矢符Ｃ方向から見た図である。
【図３】ヒンジ部２８を示す断面図である。
【図４】係合手段８１を示す斜視図である。
【図５】係合突起８２と係合片８３とが係合した状態を示す斜視図である。
【図６】係合突起８２と係合片８３との係合が解除された状態を示す斜視図である。
【図７】本発明の実施の第２形態である充電装置が含むヒンジ部１１２を示す斜視図である。
【図８】ヒンジ部１１２の分解斜視図である。
【図９】本発明の実施の第３形態である充電装置１２１を示す図である。
【図１０】スライド手段１２２を示す斜視図である。
【図１１】嵌合突起１２３と嵌合凹部１２４とを示す図である。
【図１２】充電装置１２１の背面図である。
【図１３】充電装置１２１をその背面側から見た斜視図である。
【図１４】本発明の実施の第４形態である充電装置１４１を示す断面図である。
【図１５】保持体２２の一部を示す斜視図である。
【図１６】保持体２２が横置き状態になっている充電装置１４１の連結手段１４２を示す図である。
【図１７】保持体２２が縦置き状態になっている充電装置１４１の連結手段１４２を示す図である。
【図１８】展開状態の携帯電話機２３と横置き状態の保持体２２とを示す斜視図である。
【図１９】携帯電話機１をＡＣアダプタ２に直接、接続して電力を供給する方式を説明するための図である。
【図２０】携帯電話機１の外部機器端子３を示す図である。
【０１００】
【図２１】携帯電話機１を充電装置１１に装着して電力を供給する方式を説明するための図である。
【図２２】充電装置１１の接続端子１２を示す図である。
【図２３】携帯電話機１を充電装置１１に載置した状態を示す斜視図である。
【符号の説明】
【０１０１】
２１，１２１，１４１  充電装置
２２  保持体
２３  携帯電話機
２６  携帯電話機２３の充電端子
２８  ヒンジ部
３３  ＡＣアダプタ
４１  第１保持部
６０  第２保持部
１００  充電システム
１２２  スライド手段
１４２  連結手段
【図１】
2007213933.tif 000003
【図２】
2007213933.tif 000004
【図３】
2007213933.tif 000005
【図４】
2007213933.tif 000006
【図５】
2007213933.tif 000007
【図６】
2007213933.tif 000008
【図７】
2007213933.tif 000009
【図８】
2007213933.tif 000010
【図９】
2007213933.tif 000011
【図１０】
2007213933.tif 000012
【図１１】
2007213933.tif 000013
【図１２】
2007213933.tif 000014
【図１３】
2007213933.tif 000015
【図１４】
2007213933.tif 000016
【図１５】
2007213933.tif 000017
【図１６】
2007213933.tif 000018
【図１７】
2007213933.tif 000019
【図１８】
2007213933.tif 000020
【図１９】
2007213933.tif 000021
【図２０】
2007213933.tif 000022
【図２１】
2007213933.tif 000023
【図２２】
2007213933.tif 000024
【図２３】
2007213933.tif 000025